Podtech/llm-jp-corpus-v4-ja_patent huggingface dataset:
(57)【要約】【課題】  測定が容易で、かつ従来の指先による触診と違和感がなく、さらに押静圧をほぼ一定にする、脈博圧脈波の検出方法に関する。【解決手段】  受圧部、圧力導管部および圧力変換センサーのそれぞれを連結する空間が、全部もしくは少なくとも一部、圧縮性気体で構成されていることを特徴とする脈博圧脈波の検出方法。【特許請求の範囲】
【請求項１】
受圧部、圧力導管部および圧力変換センサーからなり、それぞれを連結する空間が、全部もしくは少なくとも一部、圧縮性気体で構成されていることを特徴とする脈博圧脈波の検出方法
【発明の詳細な説明】
【発明の詳細な説明】
【技術分野】
【０００１】  本発明は、測定が容易で、より客観的なデータが得られる脈博圧脈波の検出方法に関する。
【背景技術】
【０００２】  従来より脈診の客観化の試みとして、抵抗線歪ゲージによる方法（日本東洋医学会誌、２７（４）：Ｐ７〜１６、昭和５２年  参照）が知られているが、血管の脈圧を検出するには、歪の発生方向と検出方向が直交するために原理的に困難であり、また血管のように微細な物に装着することも困難であるため、一般に普及していない。脈博圧脈波の検出方法に関し、本発明者らは、既に容易な脈博圧脈波の検出方法である「脈博圧脈波の検出方法」を平成１０年９月１４日出願している。
【発明者が解決しようとする課題】
【０００３】  本発明者らは、より容易な検出方法を鋭意検討した結果、受圧部、圧力導管部および圧力変換センサーのそれぞれを連結する空間が、全部もしくは少なくとも一部、圧縮性気体で構成されていることにより、測定が容易で、かつ従来の指先による触診と違和感がなく、さらに押静圧成分が脈博圧脈波の検出に支障ないようにして、脈博圧脈波の検出ができ、より客観的なデータが得られることを見出して本発明に至ったものである。
【課題を解決するための手段】
【０００４】  本発明は、脈博圧脈波の検出方法において、受圧部、圧力導管部および圧力変換センサーからなり、それぞれを連結する空間が、全部もしくは少なくとも一部、圧縮性気体で構成されていることを特徴とする。
【０００５】  本発明における受圧部の形状は、特に制約されないが、例えば先端が外径約１０ｍｍ、長さ１５ｍｍの円筒形または楕円筒形で、他端が導管に連結できる構造で、指先に持て、内部の空間は出来るだけ小さいほうが、望ましい。
【０００６】  受圧部の先端は、開放でも良いし、ゴムなどの可堯性物で包む非開放でも良い。脈博圧脈波の検出時に、被検体に密着させることで、押静圧をほぼ一定にでき、脈博圧脈波の検出が支障なく出来る。
【０００７】  圧縮性気体としては、特に制約はないが、空気を用いるのが、最も簡便である。
【０００８】  圧縮性気体の静圧は、開放系、非開放形とも、受圧部の先端を被検体に押しつけることで、靜圧は上昇し、ほぼ一定になる。非開放系の場合、前もって静圧を与えても良い。
【０００９】  圧力導管は、フレキシブルであり、測定中に圧力導管の動きによる圧の変動を少なくするため、断面方向に変形しにくい素材が望ましく、一般にはゴム、プラスチックなどの管状体の中から適宜選択される。
【００１０】  圧力変換センサーは、一般には抵抗線歪センサー、半導体歪抵抗式センサーおよびピエゾ圧電センサーの中から適宜選択されるが、特に半導体歪抵抗式センサーは、ヒステリシスがほとんどなく、温度特性および長期安定性がよいので、好適である。圧力変換センサーで得られる電気信号は、アンプによって増幅することができる。
【００１１】  アンプの信号はデジタル処理され、コンピュータに取り込まれ、グラフとして描かれる。デジタル処理する際には、連続するアナログ信号を時間ごとにサンプリングしてデジタル化される。サンプル時間が大きいと、細かなグラフが描かれないため、グラフの解析に支障を来す。そのためサンプル時間は０．５秒以下が望ましい。
【００１２】  微少な圧力を検出するセンサーとしては、差圧式圧力センサーがあるが、非開放形で、前もって静圧を与えて検出する場合は、センサーの圧力検出側と対照側の両方に同時に静圧を与え、被検体に受圧部を密着させてから、測定時に圧力検出側と対照側を遮断することが、望まれる。また測定を自動化するため、靜圧の圧力変化をトリガーとして、遮断することも出来る。
【００１３】  圧縮性気体を使用する場合、受圧部の脈博圧脈波の圧力は、受圧部、圧力導管部および圧力変換センサーに存在する圧縮性気体で分圧されるので、受圧部、圧力導管部および圧力変換センサーの空間は、出来るだけ小さいことが望まれる。そのため圧縮性気体の一部を非圧縮性液体で置き換える事も出来る。
【００１４】  受圧部は手持ちあるいは、装着するバンドなどで指先に装着しても良い。また受圧部、圧力導管部および圧力変換センサーを小型化して、一体化しても良い。
【００１５】  脈博圧脈波の感知できる機序は、血管部を圧迫することである。このことは、血圧測定でよく知られている。血管部の圧迫がないと、外部に脈博圧脈波として、感知出来ない。また圧迫しすぎると血流が弱くなるため、脈博圧脈波として、感知できなくなる。受圧部が開放系の場合は、受圧部の先端の外周部の圧迫で脈博圧脈波が生じる。また被開放系の場合は、受圧部の先端の外周部と可堯性物の両方の圧迫で脈博圧脈波は生じる。
【実施例】
【００１６】  脈博圧脈波に用いた受圧部、圧力導管部および圧力変換センサーを写真ー１に示す。受圧部の先端の外径は約１０ｍｍである。圧力導管部の外形は約４ｍｍである。センサーはＡＰ−４７（（株）キーエンス社）、アンプはＡＰ−Ｖ４０（（株）キーエンス社）である。
2005349164.tif 000002
アンプの信号をデータ収集システムＮＲ−１０００（（株）キーエンス社）により、ＰＣレコーダＷＡＶＥ  ＴＨＥＲＭＯ−１０００ソフト（（株）キーエンス社）で、パソコンに描画させた。
ＷＡＶＥ  ＴＨＥＲＭＯ−１０００のサンプリング時間を１００ミリ秒に設定して、受圧部の先端を解放系で、手首内側の血管の部分に受圧部先端を当て、検体に押しつけて、脈博圧脈波を検出した。この検出波形図を図ー１に示す。
2005349164.tif 000003
【発明の効果】
【００１７】  測定が容易で、かつ従来の指先による触診と違和感がなく、さらに押静圧をほぼ一定にして、脈博圧脈波の検出できるため、より客観的なデータが得られた。
(57)【要約】【課題】従来のサウナ風呂は、麦飯石やトルマリンなどの鉱石からマイナスイオン、ミネラル成分が放散するに必要な熱とサウナ風呂の温度とのバランスを管理するセンサーと制御装置を必要とし、費用がかかり、管理の手間がかかった。また、発汗作用により、新陳代謝を行うための血液循環を良くするには、長く入浴する必要が有り、高齢者等にとっては体の負担が重い欠点があった。本発明はサウナ風呂に係わるコスト低減と管理の手間の削減と、高齢者等の入浴者の体にかかる負担を軽減するを目的とする。【解決手段】目的を解決するために、サウナ風呂の石槽内に麦飯石やトルマリンなどの鉱石を敷きつめ、その層の上面を覆う様に永久磁石の原石を均等な厚みに敷きつめ、且つ、石槽内の適切任意の位置に適温の温水を環させる給入口、と排出口を具備するを成し、永久磁石の原石上に入浴者が臥することを成すをもって課題を解決するための手段とする。【選択図】  図１
2005349166.tif 000002
【特許請求の範囲】
【請求項１】
サウナ装置を具備した室内（Ａ）の床（Ｂ）に、適切任意の形状で、防水処理を施した、適度の深さの石槽（Ｃ）を形成し、該石槽の底に麦飯石、トルマリン等の鉱石を適切任意の厚みに敷きつめ第一層（Ｄ）とし、その上面に適当な大きさに砕かれた永久磁石の原石を均等な厚みに敷きつめ第二層（Ｅ）とし、且つ該石槽の第一層（Ｄ）の適当な任意の位置に適温の温水を循環させる給入口（Ｆ）、と排出口（Ｇ）を具備するを成し、該第二層（Ｅ）の永久磁石の原石上に入浴者が臥することにより該永久磁石より生ずる磁力線が入浴者の血管に作用し血行を促進し、該温水で温められた該麦飯石、トルマリン等の鉱石より生ずる、マイナスイオン、ミネラル成分の相乗効果により疲労回復、リラックス、健康増進を目的とするを特徴とする磁気浴槽を設置したサウナ風呂。
【発明の詳細な説明】
【技術分野】
【０００１】  本発明は磁気浴槽を設置したサウナ風呂に係わるもので、特に強力磁力線による血液循環を良くし肩凝りを軽減し、サウナ風呂の発汗作用、マイナスイオン、ミネラル効果により疲労回復、リラックス、健康増進効果を得る磁気浴槽を設置したサウナ風呂に関するものである。
【背景技術】
【０００２】この種のサウナ風呂は石槽にマイナスイオンを発生させる麦飯石やトルマリンなどの鉱石を敷き詰め、鉱石を適温に保つために石槽内に温水を循環さる装置を設置し、入浴者が鉱石の上に臥すとマイナスイオン、ミネラル成分を体内に取り入れることにより、又、本来のサウナ風呂の発汗による新陳代謝による疲労回復、リラックス、健康増進を、得ていた。
【発明の開示】
【発明が解決しようとする課題】
【０００３】従来のサウナ風呂は、麦飯石やトルマリンなどの鉱石からマイナスイオン、ミネラル成分が放散するに必要な温度と、サウナ風呂の温度とのバランスを管理するセンサーと制御装置を必要とし、費用がかかり、管理の手間がかかった。【０００４】また、発汗作用により、新陳代謝を行うための血液循環を良くするには、長く入浴する必要が有り、高齢者等にとっては体の負担が重い欠点があった。【０００５】本発明はサウナ風呂に係わるコスト低減と管理の手間の削減と、高齢者等の入浴者の体にかかる負担を軽減するを目的とする。
【課題を解決するための手段】
【０００６】上記目的を解決するために、サウナ風呂の石槽内に麦飯石やトルマリンなどの鉱石を敷きつめ、その層の上面を覆う様に永久磁石の原石を均等な厚みに敷きつめ、且つ、石槽内の適切任意の位置に適温の温水を循環させる、給入口、と排出口を具備するを成し、永久磁石の原石上に入浴者が臥することを成すをもって課題を解決するための手段とする。
【発明の効果】
【０００７】本発明の磁気浴槽を設置したサウナ風呂は強力な永久磁気の効果により短時間の入浴で麦飯石やトルマリンなどの鉱石の効能を体内に取り入れることが出来き且つ、少量の鉱石で従来と同等の効果を得る利点が有る。【０００８】麦飯石やトルマリンなどの鉱石の温度管理に係る手間とコスト削減が出来る利点が有る。
【発明を実施するための最良の形態】
【０００９】麦飯石やトルマリンなどの鉱石よるマイナスイオン効果、サウナ風呂による発汗効果、磁気浴槽による血液循環の促進による疲労回復、リラックス、健康増進の目的を効率良く、又、設置費用の低減が可能になった。
【実施例１】
【００１０】サウナ装置を具備した室内（Ａ）の床（Ｂ）に、適切任意の形状で、防水処理を施した、適度の深さの石槽（Ｃ）を成し、石槽の底に麦飯石やトルマリンなどの鉱石を適切任意の厚みに敷きつめ第一層（Ｄ）とし、その上面に適当な大きさに砕かれた永久磁石の原石を均等な厚みに敷きつめ第二層（Ｅ）とし、且つ該石槽の第一層（Ｄ）の適当な任意の位置に適温の温水を循環させる給入口（Ｆ）、と排出口（Ｇ）を具備するを成す。
【実施例２】
【００１１】図２の実施例は入浴者同士の間隔を一定に保ちリラックス感を与える為に、床（Ｂ）に石槽（Ｃ）の上面形状を一人分の大きさにし複数個設けるを成す。
【実施例３】
【００１２】図３の実施例は磁力線の効果を変える為に、床（Ｂ）に石槽（Ｃ）の上面形状を該一人分大きさを細分化し必要複数個設けるを成す。
【産業上利用可能性】
【００１３】公衆浴場等各種サウナ風呂や老人ホームや介護センターなどに設置すれば高齢者にもの血液循環の促進による、疲労回復、健康維持、リラックス、肩凝りの不快な症状の改善に役立つことが可能で有る。
【図面の簡単な説明】
【００１４】
【図１】磁気浴槽を設置したサウナ風呂室内の断面図斜視図である。
【図２】実施例２の石槽の上面形状図である。
【図３】実施例３の石槽の上面形状図である。
【符号の説明】
【００１５】        Ａ  サウナ装置を具備した室内
Ｂ  床
Ｃ  石槽
Ｄ  麦飯石やトルマリンなどの鉱石を敷き詰めた第一層
Ｅ  永久磁石の原石を敷き詰めた第二層
Ｆ  温水給入口
Ｇ  温水排出口
【図１】
2005349166.tif 000003
【図２】
2005349166.tif 000004
【図３】
2005349166.tif 000005
(57)【要約】【課題】スキー場等で使用する腕に通すタイプのチケットホルダーは、弾性ベルトをきつく締めても、特に小物や小銭をチケットホルダーに入れている場合には、チケットホルダーが腕からずり落ちやすかった。【解決手段】チケットホルダー（１）の腕に接する面と、チケットホルダーに付属する弾性ベルト（４）のどちらか一方または両方に滑り止め（２）、（３）を設ける。【選択図】図１
2005349170.tif 000002
【特許請求の範囲】
【請求項１】
チケットホルダー本体の腕に接する面に滑り止めを設けたことを特徴とするチケットホルダー
【請求項２】
チケットホルダーに付属する弾性ベルトに滑り止めを設けたことを特徴とするチケットホルダー
【請求項３】
チケットホルダー本体の腕に接する面および、チケットホルダーに付属する弾性ベルトに滑り止めを設けたことを特徴とするチケットホルダー
【発明の詳細な説明】
【発明の詳細な説明】
【技術分野】
【０００１】  この発明は、チケットホルダーに関するものである。
【背景技術】
【０００２】  スキー場等で使用する従来の腕に通すタイプのチケットホルダーは、チケットホルダー本体と、長さが調節可能な弾性ベルトにより成るものである。
【発明の開示】
【発明が解決しようとする課題】
【０００３】  しかしながら、以上の技術によれば、弾性ベルトをきつく締めても、特に小物や小銭をチケットホルダーに入れている場合には、重さでチケットホルダーが腕からずり落ちやすく、チケットホルダーに気をとられてスキー等を快適に楽しむことができなかった。
そこで、この発明は、小物や小銭を入れていてもずり落ちにくいチケットホルダーを提供することを課題とする。
【課題を解決するための手段】
【０００４】  以上の課題を解決するために、第一発明は、チケットホルダー本体の腕に接する面に滑り止めを設けたことを特徴とするチケットホルダーである。
また、第二発明は、チケットホルダーに付属する弾性ベルトに滑り止めを設けたことを特徴とするチケットホルダーである。
また、第三発明は、チケットホルダー本体の腕に接する面および、チケットホルダーに付属する弾性ベルトに滑り止めを設けたことを特徴とするチケットホルダーである。
【発明の効果】
【０００５】  第一発明、または第二発明、または第三発明によれば、チケットホルダーが滑り止め効果をもつため、小物や小銭を入れてもずり落ちにくく、チケットホルダーに気をとられることなく、快適にスキー等を楽しむことができる。
【発明を実施するための最良の形態】
【０００６】チケットホルダー本体の腕に接する面とチケットホルダーに付属する弾性ベルトのどちらか一方または両方に滑り止めを設ける。
【図面の簡単な説明】
【０００７】
【図１】この発明の一実施形態を示す斜視図
【符号の説明】
【０００８】（１）チケットホルダー
（２）滑り止め１
（３）滑り止め２
（４）弾性ベルト
【図１】
2005349170.tif 000003
(57)【要約】【課題】  割箸やストロー等を片手で簡単に、蓋を開けずに一本ずつ取り出せる容器を提供する。【解決手段】  傾斜をつけた本体と台座から成り、これらを押バネで接続し、本体を押し下げることにより、蓋を閉めたまま割箸等を一本ずつ取り出すことを特徴とする割箸やストロー等用容器。【選択図】図１
2005349163.tif 000002
【特許請求の範囲】
【請求項１】
傾斜をつけた本体と台座から成り、これらを押バネで接続し、本体を押し下げることにより、蓋を閉めたまま割箸等を一本ずつ取り出すことを特徴とする割箸やストロー等用容器。
【発明の詳細な説明】
【技術分野】
【０００１】  本発明は、割箸やストロー等を片手で簡単に、蓋を開けずに一本ずつ取り出せる容器に関する。
【背景技術】
【０００２】  従来の割箸等用容器は、蓋のあるものとないものがあり、蓋のないものは、割箸等をむき出しで入れ、取り出す際にはそこから直接適当に割箸等を取り出している。また、蓋のあるものは、割箸等を取り出す際に、その都度蓋を開けて取り出さなければならない。
【発明の開示】
【発明が解決しようとする課題】
【０００３】  そのために、次のような問題点があった。
蓋のないものは周囲の埃や塵等、また周囲で会話する人の唾液が割箸等に付着するおそれがある。また、両者とも取り出す際に、目的の割箸等以外のものにも触れてしまうことがあり、不衛生な状況下にあった。
本発明は、以上の問題点を解決しようとするものである。
【課題を解決するための手段】
【０００４】  （イ）割箸等を入れる本体に、ヒンジ式または取り外し式の蓋を取り付け、蓋の前中央部に、割箸等を取り出すための開口部を設ける。
（ロ）本体を支える台座は、本体に適度な傾斜をつけ、本体の傾斜を保ったまま出し入れするために本体よりひとまわり大きい筒状の部分と、平面に設置するための足部分から成つている。
（ハ）本体底部と台座底部は平行になっており、本体底部下面と台座底部上面に押バネの端と端を取り付け、接続する。
（ニ）台座の筒状の部分の正面部内側中央に突起を、これの上端が本体静止時に本体底面の直線上またはわずかに下部の位置を保つように設ける。
（ホ）本体正面中央部から本体底部中央部にかけて突起が通過するための開口部を設ける。
（ヘ）台座の筒状の部分の上端内側と、本体下端外側の数箇所に、適度な突起を配し、押バネの反動を制御するストッパーとする。
以上のような装置の本体を押し下げることにより、蓋の開口部から割箸等を一本ずつ取り出すことができる。
【発明の効果】
【０００５】  本発明は、割箸やストロー等を片手で簡単に、蓋を開けずに一本ずつ取り出すことができ、また、目的以外の割箸等に触れることがないため、衛生的である。
【発明を実施するための最良の形態】
【０００６】  以下、本発明の実施の形態を説明する。
（イ）図１に示すように、割箸等を入れる本体１に、ヒンジ式または取り外し式の蓋２を取り付ける。この蓋２の前中央部に、割箸等を取り出すための開口部３を設ける。この開口部３は、割箸等の動き幅を考慮した大きさにする。
（ロ）図１のように、本体１を支える台座は、本体１に適度な傾斜をつけ、本体の傾斜を保ったまま出し入れするために本体１よりひとまわり大きい筒状の部分４と、傾斜のついた本体１が前方へ倒れることなく、なおかつしっかり平面に設置することのできる足部分５から成っている。なお、台座の筒状の部分４は、大きすぎると本体１が傾いてしまうので、本体１よりわずかに大きくする。傾斜は、重力により、内部の割箸等を本体１の正面手前側に集めるためのものである。
（ハ）図２に示すように、本体底部６と台座底部７は平行になっており、本体底部６下面と台座底部７上面に押バネ８の端と端を取り付け、接続する。バネの数はいくつでもかまわないが、本体１を押し下げた際に、力が均等にかかる位置に配設する。また押バネ８は、最長状態時と最短状態時の長さの差が即ち、本体を押し下げた際に割箸等が本体蓋の開口部３から出る長さと同等であるので、最長状態時と最短状態時の長さの差が、図６のように本体蓋の開口部３から出てきた割箸等１３を充分手でつかむことのできる長さを実現する押バネを使用する。割箸等を一本抜き、静止状態を保ったままだと、割箸等を抜いた後の部分には割箸等一本分の空間ができるのみで、連続して割箸等を取り出すことは不可能だが、バネが伸縮する反動により割箸等がかくはんされ、本体１の正面手前側に再配列され、連続して割箸等を取り出すことが可能になる。
（ニ）台座の筒状の部分４の正面部内側中央９に突起１１を設ける。図２で示すように、この突起１１の上端は、本体底部６及び台座底部７と平行の平面であることが望ましく、本体静止時には本体底部６の直線上またはわずかに下部の位置を保つように配置する。この突起１１の形状は問わないが、図３のように、割箸等１３を一本だけ支えるためのものであるので、直径また一辺の長さは、割箸等の一辺の最小値以下でなければならない。
（ホ）図４のように、本体１正面中央部から本体底部６中央部にかけて開口部１０を設ける。これは、突起１１が通過するためのものであり、突起１１がスムーズに通過でき、なおかつ、突起１１との隙間から割箸等が落下する余地のないような大きさにする。
（ヘ）図５で示すように、台座の筒状の部分４の上端内側と、本体１下端外側の数箇所に、適度な突起を配し、ストッパー１２とする。これは、押バネ８が縮み、また伸びたときの反動で本体１が台座の筒状部分４から脱落する危険を防ぐためである。
（ト）本体１は、洗浄等を容易にするために、押バネ８から取り外し可能にしてもよい。
（チ）飲食店等用の場合は、本体１及び、台座４及び５の表面に、広告等を入れることのできるポケット等を設けてもよい。
本発明は、以上のように装置する。
本発明を使用するときは、図６のように、上記の割箸等容器の蓋開口部３を指で囲むように片手を当て、そのまま本体１を下方へ押し下げる。すると押バネ８が縮み、本体１が下方へ下がり、突起１１に支えられた割箸等１３が蓋の開口部３から出てくるので、それを容器に当てている指やもう片方の手で掴む。割箸等１３を抜き出しながら容器に当てていた手を離すと、押バネ８が戻るので、その反動でかくはんされた割箸等１３が再配列され、繰り返し割箸等１３を取り出すことができる。
また、本体１への割箸等の補給は、蓋２を開けて自由に行うことができる。
【図面の簡単な説明】
【図１】    本発明の斜視図
【図２】    本発明の一部側面断面図
【図３】    本発明の突起１１と割箸等１３の比較図
【図４】    本発明の本体１の一部正面図
【図５】    本発明の一部正面断面図
【図６】    本発明の使用例の側面断面図
【符号の説明】
１    本体
２    蓋
３    蓋開口部
４    台座筒状部分
５    台座足部分
６    本体底部
７    台座底部
８    押バネ
９    台座正面部
１０  本体開口部
１１  突起
１２  ストッパー
１３  割箸等
【図１】
2005349163.tif 000003
【図２】
2005349163.tif 000004
【図３】
2005349163.tif 000005
【図４】
2005349163.tif 000006
【図５】
2005349163.tif 000007
【図６】
2005349163.tif 000008
(57)【要約】      （修正有）【課題】迷惑なイビキをかく人の隣人の寝不足を解消するイビキ防止器具を提供する。【解決手段】  ケース１内ににスィッチ６、音感センサー２を設け、また制御基盤５にて、乾電池３で動く振動モーター４を設けたことを特徴とする。【選択図】図２
2005349165.tif 000002
【特許請求の範囲】
【請求項１】
（イ）ケース（１）内にスィッチ（６）、音感センサー（２）を設ける。
（ロ）また制御基盤（５）にて、乾電池（３）で動く振動モーター（４）を設ける。
以上の構成よりなるイビキ防止器具。
【発明の詳細な説明】
【発明の詳細な説明】
【技術分野】
【０００１】  この発明は、小さなケース内に音感センサーにて動く振動モーターを取り付けたイビキ防止器具に関するものである。
【背景技術】
【０００２】    イビキをかき始めた時に鼻をつまむ。
【発明が解決しようとする課題】
【０００３】    これはつぎのような欠点があった。
隣に寝ていて、イビキをかくたびに鼻をつまんでばかりでは、寝不足  になり、とても疲れます。
本発明は、以上のような欠点を補うためになされたものである。
【課題を解決するための手段】
【０００４】  ケース（１）内にスィッチ（６）、音感センサー（２）を設け、また制御基盤（５）にて、乾電池（３）で動く振動モーター（４）を設ける。
本発明は、以上の構成よりなるイビキ防止器具である。
【発明を実施するための最良の形態】
【０００５】    以下、本発明の実施の形態について説明する。
ケース（１）内にスィッチ（６）、音感センサー（２）を設ける。また制御基盤（５）にて、乾電池（３）で動く振動モーター（４）を設ける。
本発明は、以上のような構造でこれを使用するときは、スィッチを入れ、枕の下に、入れて置く。イビキをかき始めると、音感センサーがイビキ音を感知しケース自体が振動し、枕を振動させます。イビキをかく人は、これに反応しイビキをやめます。
【発明の効果】
【０００６】  ケース自体も小さいため、旅行の時などに携帯でき、他人にイビキで迷惑をかけない。又乾電池使用のため、容易に電源は確保できる。
【図面の簡単な説明】
【図１】  本発明の斜視図である。
【図２】  本発明の配線図である。
【符号の説明】
１    ケース
２    音感センサー
３    乾電池
４    振動モーター
５    制御基盤
６    スィッチ
【図１】
2005349165.tif 000003
【図２】
2005349165.tif 000004
(57)【要約】【課題】  管の内外周を流通する流体の攪拌を効果的に行い、熱交換性能の高い熱交換器用管の製造方法およびその管の提供。【解決手段】  円形管の内外周に螺旋条１ａを形成して螺旋管２をつくる工程と、次いで、その螺旋管２を軸線が一平面内で周期的に波形に形成されるように塑性変形して螺旋付き蛇行管３をつくる工程とを具備する。【選択図】        図２
2005349419.tif 000002
【特許請求の範囲】
【請求項１】
円形管の内外周に螺旋条(1a)を形成して螺旋管(2) をつくる工程と、
次いで、その螺旋管(2) をその軸線が一平面内で周期的に波形に曲折されるように塑性変形して、螺旋付き蛇行管(3) をつくる工程と、を具備する熱交換器用管の製造方法。
【請求項２】
請求項１において、
螺旋管(2) をつくる工程で、円形管の内外周に複数の螺旋条(1a)(1b)を隣接して形成する熱交換器用管の製造方法。
【請求項３】
請求項１または請求項２に記載の製造方法によりつくられた熱交換器用管。
【請求項４】
請求項３において、
管の両端部に直線管部(4) を残して、両直線管部(4) の間に前記螺旋条付きの蛇行管部(5) が形成された熱交換器用管。
【発明の詳細な説明】
【技術分野】
【０００１】
本発明は、円形管の内外周に螺旋条が存在すると共に、その円形管の軸線が全体として一平面内に波形に蛇行曲折されたものに関する。
【背景技術】
【０００２】
管の内部および外部を流通する流体の攪拌を行うため、管の軸線を波形に曲折したものが知られている。
また、円形管の内外面を螺旋条に形成したものも知られている。
しかしながら、螺旋管で且つ波形に軸線が形成されたものは存在しない。
【発明の開示】
【発明が解決しようとする課題】
【０００３】
一本の円形管の内外周が螺旋条に形成されると共に、さらにその軸線が波形に形成されたものは熱交換性能が高くなる。しかしながら、係る熱交換器用管の製造は容易ではない。
そこで、本発明者は各種実験の結果、螺旋付き蛇行管を容易に且つ正確につくることに成功し、その知見に基づいて本発明を提案する。
【課題を解決するための手段】
【０００４】
請求項１に記載の本発明は、円形管の内外周に螺旋条(1a)を形成して螺旋管(2) をつくる工程と、
次いで、その螺旋管(2) をその軸線が一平面内で周期的に波形に曲折されるように塑性変形して、螺旋付き蛇行管(3) をつくる工程と、を具備する熱交換器用管の製造方法である。
【０００５】
請求項２に記載の本発明は、請求項１において、
螺旋管(2) をつくる工程で、円形管の内外周に複数の螺旋条(1a)(1b)を隣接して形成する熱交換器用管の製造方法である。
【０００６】
請求項３に記載の本発明は、請求項１または請求項２に記載の製造方法によりつくられた熱交換器用管である。
請求項４に記載の本発明は、請求項３において、
管の両端部に直線管部(4) を残して、両直線管部(4) の間に前記螺旋条付きの蛇行管部(5) が形成された熱交換器用管である。
【発明の効果】
【０００７】
本発明の熱交換器用管の製造方法は、先ず、円形管の内外周に螺旋条１ａを形成して螺旋管２をつくる工程の後に、その螺旋管２を軸線が一平面内で周期的に波形に曲折されるように塑性変形して螺旋付き蛇行管３をつくるものであるから、製造が容易で且つ安定して螺旋付き蛇行管３を確実に製造することができる。そして、その螺旋付き蛇行管３の内外面を流通する流体を攪拌し、熱交換を促進させる効果がある。
上記製造方法において、円形管の内外周に複数の螺旋条１ａ，１ｂを隣接して形成する場合には、さらに熱交換性能の良い熱交換器用管を製造できる。
【０００８】
上記いずれかの製造方法によって作られた熱交換器用管は、流体が管内部で螺旋状に流通すると共に、蛇行状に移動して流体の攪拌が増大し、熱交換が促進される。
【発明を実施するための最良の形態】
【０００９】
次に、図面に基づいて本発明の実施の形態つき説明する。
図１は本発明の熱交換器用管の製造方法の第１工程によってつくられた螺旋管２の正面図およびその縦断面図である。また、図２は本発明の製造方法の第２工程によってつくられた螺旋付き蛇行管３の要部正面図である。
この熱交換器用管は、図１に示す如く両端部（左側を省略する）を除いて、その中間に二条の螺旋条１ａ，１ｂを互いに１８０°周方向に位置ずれして形成し、螺旋管２を製造する。その方法は、円形管を回転しつつ、それを軸線方向に移動して外周に溝を押圧形成すれば良い。或いは、円形管の一端に対し他端を回転させることにより、外周に螺旋条を形成しても良い。
【００１０】
このようにしてなる螺旋管２は、図１（Ｂ）の如く、管の内外周に螺旋条の突条が形成される。次いで、図１（Ａ）の如く、互いに交互に離間した位置で上下方向から螺旋管２を部分的に押圧変形することにより、図２に示す螺旋付き蛇行管３を形成することができる。
この螺旋付き蛇行管３は、その軸線が周期的に波形に塑性変形されたものであり、その波形の振幅方向は図において上下方向のみであり、それに直交する方向は図１（Ａ）に示すままである。このようにしてなる螺旋付き蛇行管３の両端に形成された直線管部４が互いに離間した一対のヘッダのチューブ挿通孔に挿通され、その挿通部が溶接等の手段により接合される。
【００１１】
このような螺旋付き蛇行管３は、一対のヘッダに多数並列される。なお、その並列に際して軸線の波の振幅方向が夫々平行になるように位置される。それにより、多数の熱交換器用管を近接してヘッダ間に取付けることができる。
上記の実施例では、円形管に二条の螺旋条を設けたが、それに代えて一条または三条以上とすることも可能である。
【図面の簡単な説明】
【００１２】
【図１】本発明の製造方法により形成された螺旋管２の要部平面図および縦断面図。
【図２】本発明の製造方法の第２工程により製造された螺旋付き蛇行管３の要部正面図。
【符号の説明】
【００１３】
１ａ  螺旋条
１ｂ  螺旋条
２  螺旋管
３  螺旋付き蛇行管
４  直線管部
５  蛇行管部
【図１】
2005349419.tif 000003
【図２】
2005349419.tif 000004
(57)【要約】【課題】空気中の浮遊物質を吸着除去するための多気孔筒型フィルターを提供する．【解決手段】従来のフィルター材料で不織不や金属製等を、丸型や多角形の筒型に加工したものを吸気ファン機能部に取付け、ファンによって吸い込まれた空気がフィルター内を通過する際、空気中の浮遊物質を吸着し除去することを特徴とする多気孔筒型フィルター。【選択図】図１
2005349376.tif 000002
【特許請求の範囲】
【請求項１】
従来のフィルター材料で不織布や金属製等を、丸型や多角形の筒型に加工したものを集合体としたフィルターと、従来の平面フィルターを四方枠で一体化したものを吸気ファン機能部に取付け、吸い込まれた空気が筒型フィルターを通過する際、空気中の浮遊物質を吸着し除去することを特徴とする多気孔筒型フィルター。
【発明の詳細な説明】
【技術分野】
【０００１】  本発明は、空気中に浮遊する物質を効率的に取り除くために開発した多気孔筒型フィルターに関するものである．
【背景技術】
【０００２】従来、フィルターは布織布や金属板を平面的に利用していた．
【発明の開示】
【発明が解決しようとする課題
【０００３】それには、次のような問題点が合った．
（イ）従来のフィルターは、平面で空気中の浮遊物質を吸着するため、吸着量の限界が早いため目詰まりも早くフィルターの交換頻度が多かった．
（ロ）特に、油煙類はフィルターより、垂れこぼれその周囲を汚染した．
（ハ）工場、トンネル内などに利用できる大型のものがなかった．
本発明は、これらの問題点を解決するためになされたものである．
【問題を解決する手段】
【０００４】従来のフィルター材料で不織布や金属製等を、丸型や多角形の筒型に加工したものを集合体としたフィルターと、従来の平面フィルターを四方枠で一体化したものを吸気ファン機能部に取付け、吸い込まれた空気が筒型フィルター内を通過する際、空気中の浮遊物質を吸着し除去することを特徴とする多気孔筒型フィルター。
【発明の効果】
【０００５】空気中の浮遊物質を除去するための従来のフィルターに比べ、多気孔のためフィルターの表面積が増大され空気中の浮遊物質の吸着量が従来型フィルターより大幅に増加される。
従来のフィルターは平面的に利用されているが多気孔筒型フィルターはその構造上、筒の中心部の空気の通りがよく目詰まりの頻度が従来型フィルターより少なくなる。従来利用されているフルターは油煙類を吸着した場合、目詰まり及び垂れこぼれが発生し易かったが、フィルター材を筒型に加工し集合体したことにより、蜂の巣のように各々の筒に空気中の浮遊物質が蓄積されるために従来型フィルターに比べその周辺の汚染や垂れこぼれが少なく、さらに、筒型フィルターを囲う枠材の下部は油分等の垂れこぼれを防止するため油分等の蓄積のための空間を設けた．又、筒型フィルター後部に従来型フィルターを併用することにより従来型フィルターの機能も併せ持ったものである．筒型フィルターは、筒の太さや長さを替えることにより家庭用の小型のものから工場やトンネル等に利用できる大型の物まで製作可能である．
【発明を実施するための最良の形態】
【０００６】以下、本発明の実施の形態について説明する．
（イ）既存のフィルター用不織布を筒型（９）に加工した物を集合しその四方を枠（４）で固定す．
（ロ）フィルター前面下部は四方枠の一部を立ち上げ（３）吸着した空気中の浮遊物質の内、特に油類が下部に漏れないよう油溜まり受け部（７）を設ける．
（ハ）筒型フィルター集合部（１）後部に空間部（８）を設けた後ろ側に従来型のフィルター（６）を縦に取付ける．
（ニ）吸気ファン機能（５）によって吸い込まれた空気が多気孔筒型フィルター（１）を通過することにより空気中の浮遊物質を吸着する．
（ホ）筒型フィルター（１）は吸気ファン機能部（５）に取付け使用する．
（ヘ）筒型フィルター集合部（１）前面には製品の美観を高めるために化粧パネル（２）を取付けて使用することができる。
本発明は、以上の構成によりなっている．
これを使用するときは、吸気ファン機能部にこれを取付け使用し空気中の浮遊物の吸着が飽和状態近くなった時は新たな多気孔筒型フィルターと交換してこれを使用する。
本発明の実施の形態では、既存のフィルター材の内、不織布製を例に説明したが、金属や紙でも同様の製品ができる．又使用する環境、目的、場所等により筒の大きさ及び長さを決定して使用することができる．
【実施例】
【０００７】本発明の実施の例として病院、学校、工場、事務所、店舗の客室と厨房、トンネル、一般住宅、車両、及び航空機等、内部の空気環境の改善に使用できる．
【図面の簡単な説明】
【０００８】
【図１】本発明の斜視図
【図２】本発明の断面図
【図３】本発明の筒型フィルターの単体拡大図
【符号の説明】
１  筒型フィルター
２  化粧パネル
３  枠立ち上げ部
４  四方枠
５  吸気ファン機能部
６  従来型のフィルター
７  油黙り受け部
８  空間部
９  不織布製筒型フィルター
１０中空部部分
【図１】
2005349376.tif 000003
【図２】
2005349376.tif 000004
【図３】
2005349376.tif 000005
(57)【要約】【課題】  ジグザグ状に延びる周方向溝を成型する突条を備えたタイヤ加硫成型用金型において、金型離型時のタイヤの損傷を防止し、成型されたタイヤの外観品質の低下を防止する。【解決手段】  トレッド表面に周方向溝を成型する突条１を備え、タイヤ回転軸方向に二分割されたタイヤ加硫成型用金型Ｍであって、突条１のうち少なくとも１つがジグザグ状に延びる周方向溝を成型する突条１であって、二分割の分割面Ｌがタイヤの陸部成型面２にあるタイヤ加硫成型用金型Ｍとする。【選択図】図２
2005349661.tif 000002
【特許請求の範囲】
【請求項１】
トレッド表面に周方向溝を成型する突条を備え、タイヤ回転軸方向に二分割されたタイヤ加硫成型用金型であって、
前記突条のうち少なくとも１つがジグザグ状に延びる周方向溝を成型する突条であって、前記二分割の分割面がタイヤの陸部成型面にあるタイヤ加硫成型用金型。
【発明の詳細な説明】
【技術分野】
【０００１】
本発明は、タイヤ加硫成型用金型に関し、より詳しくはジグザグ状に延びる周方向溝を備えた空気入りタイヤを成型するタイヤ加硫成型用金型に関する。
【背景技術】
【０００２】
空気入りタイヤにおいて、主として排水性確保のためトレッド面にタイヤ周方向に延びる主溝を備えている。かかる主溝はタイヤ周方向に直線状に延びていることが多いが、トラクション性能などを向上させるために主溝をジグザグ状にすることもある。また、排水性、トラクション性向上を目的として、主溝に比べて浅い周方向溝（副溝）が延在することもある。
【０００３】
ジグザグ状の周方向溝（主溝または副溝）を成型するには、周方向溝の形状に応じた突条を金型のタイヤ成型面に設ける必要がある。かかる突条を備えた金型の一例として、特許文献１の図１２に記載されている。
【特許文献１】特開平４−３４１８０６号公報
【発明の開示】
【発明が解決しようとする課題】
【０００４】
タイヤ回転軸方向に二分割された金型、いわゆる２ピース金型においては、タイヤ回転軸に垂直な平面で金型が分割され、分割面は直線状になる。そのため、ジグザグ状に延びる周方向溝がタイヤ赤道線付近に刻まれる場合、当該周方向溝を成型する突条を分割する分割面で金型を分割する必要があった。
【０００５】
例えば、図１（ａ）に示す金型の成型面において、金型Ｍはジグザグ状の周方向溝を成型する突条１を複数備えている。突条１のジグザグの振幅が大きい場合、タイヤ赤道線ＣＬを金型の分割面とすると、突条１を分割せざるを得ない。また、分割面をタイヤ接地端側にずらしてＬ１やＬ２のようにしても、金型の分割面は突条１を分割せざるを得ない。
【０００６】
かかる場合、分割された突条１に角部ができてしまい、当該角部がタイヤに当たってタイヤ加硫後の金型離型時にタイヤを損傷させるおそれがあった。このようなタイヤの損傷を防止するため、図１（ｂ）に示すように、分割された金型Ｍ１、Ｍ２の接合面にある突条１の角部１ａを丸めていた。しかし、丸められた角部１ａにゴムがはみ出だして成型され、タイヤの外観品質が低下していた。
【０００７】
また、突条１を分割しないように、分割面をタイヤ赤道線ＣＬからタイヤ接地端側に大きくずらすことがある。この場合、分割された２つの金型がアンバランスとなり、一方の金型にタイヤが密着してしまい、成型後のタイヤの取り出しが困難となることもあった。
【０００８】
本発明の目的は、金型離型時のタイヤの損傷を防止し、成型されたタイヤの外観品質の低下を防止することにある。
【課題を解決するための手段】
【０００９】
上記課題を解決するため、鋭意検討した結果、請求項１に記載の発明は、トレッド表面に周方向溝を成型する突条を備え、タイヤ回転軸方向に二分割されたタイヤ加硫成型用金型であって、
前記突条のうち少なくとも１つがジグザグ状に延びる周方向溝を成型する突条であって、前記二分割の分割面がタイヤの陸部成型面にあるタイヤ加硫成型用金型とした。
【００１０】
金型の分割面がタイヤの陸部成型面にあるので、周方向溝を成型する突条は分割されていない。したがって、突条に角部が形成されないので、金型離型時のタイヤの損傷を防止することができる。また、突条の角部がないのでゴムのはみ出しが発生せず、タイヤの外観品質も低下することがない。
【００１１】
なお、分割面は陸部成型面にあり突条を分割しなければ、どのように設けてもよい。例えば、ジグザグ状に延びる周方向溝を成型する突条から距離をおいて、実質的に平行となるように、分割面を設けることができる。
【発明の効果】
【００１２】
本発明のタイヤ加硫成型用金型において、金型の分割面がタイヤの陸部成型面にあり、周方向に延びる溝を成型する突条が分割されていないので、突条に角部が形成されることがない。その結果、金型離型時のタイヤの損傷を防止することができ、タイヤの外観品質も低下することがない。
【発明を実施するための最良の形態】
【００１３】
以下、図面を用いて、本発明に係るタイヤ加硫成型用金型の実施形態を説明する。図２は金型Ｍのタイヤ成型面の一部を示す図である。図において、タイヤ周方向Ｒにジグザグ状に延びる溝を成型する突条１が複数設けられている。突条１に挟まれた部分はタイヤの陸部を成型する陸部成型面２となっている。
【００１４】
金型Ｍは、分割面Ｌによりタイヤ回転軸方向に分割されている。分割面Ｌはタイヤの陸部成型面２にあるので、陸部成型面２のみが分割され、突条１は分割されていない。したがって、突条１に角部が形成されないので、金型離型時にタイヤを損傷させることがなく、タイヤの外観品質を損なうこともない。
【００１５】
分割面Ｌは、陸部成型面２のタイヤ回転軸方向の中央付近に位置することが好ましいが、図２や図３に示すように、隣接する突条１の形状に沿うようにしてもよい。いずれの場合にも、分割面Ｌは直線状ではないので成型時に金型がタイヤ周方向にずれることなく、成型されるパターンのずれを防止することもできる。突条１を分割しない分割面Ｌであれば、分割面Ｌの一部をジグザグ状として、残りの部分を直線状としてもよい。
【００１６】
また、本発明においてジグザグ状の周方向溝とは、直線部で構成されるものの他、波型状に成型される周方向溝も含む。この場合は、分割面Ｌは周方向溝を成型する突条に応じて、波型状とすることが好ましい。
【００１７】
なお、図５において、分割された金型Ｍ１、Ｍ２の山部３にわずかに丸みを持たせ、金型が閉じたときに隙間ができるようにすると、当該隙間はベントホールとして機能するので、金型Ｍ１、Ｍ２に設けるベントホールの数を減少できる。
【図面の簡単な説明】
【００１８】
【図１】従来例のタイヤ加硫成型用金型の一部を示す図である。
【図２】本発明に係るタイヤ加硫成型用金型の一部を示す図である。
【図３】本発明に係るタイヤ加硫成型用金型の一部を示す図である。
【図４】本発明に係るタイヤ加硫成型用金型の一部を示す図である。
【図５】分割された金型の一部を示す図である。
【符号の説明】
【００１９】
１            突条
２            陸部成型面
Ｍ            金型
【図１】
2005349661.tif 000003
【図２】
2005349661.tif 000004
【図３】
2005349661.tif 000005
【図４】
2005349661.tif 000006
【図５】
2005349661.tif 000007
(57)【要約】    【課題】牛の第３胃（センマイ）のヒダ内食物カス汚物は、薄い葉状のヒダが重なり合った内側に堆積されており、機械的に洗浄する事は極めて困難であったが、このヒダ内汚物を洗浄可能とするセンマイ洗浄機を提供すること。    【解決手段】円筒型水槽７内の回転円板上の攪拌羽根１で強力な高速水流を発生させ、数秒間での反転攪拌によりヒダの開葉作用を起し、水流の邪魔板２とエヤ吹出し口３からのエヤ攪拌でセンマイのヒダ内汚物を完全に洗浄排出させ、重い固形物は汚物落しスクリーン６から水槽外に、更に水槽７底面のエヤ吹出し口からのエヤを回転円板下の第２攪拌羽根４により微細な泡を発生させ、汚物を浮上させて汚水を連続的に機外に排出し、清浄なセンマイ生産を実現する。    【選択図】    図２
2005168325.tif 000002
【特許請求の範囲】
【請求項１】
牛の第３胃（以下センマイと呼称）は、葉胃とも呼ばれ内面の粘膜が薄い葉状のヒダが並列しており、葉状ヒダ内部の粘膜に付着した食物カス汚物を、円筒型水槽底面に攪拌羽根を持つ回転円板により、数秒サイクルで正回転、停止、逆回転させる事で、一方向の高速水流に乗ったセンマイのヒダは、急な逆転水流に会って開葉され、ヒダ内汚物を効果的に排出するため、円筒型水槽側面に水流を中心側に撹乱する複数の邪魔板と水槽側面から吹出すエヤブロー攪拌でヒダ内部の汚物を排出させ、回転円板の裏面にも複数の第２攪拌羽根にてエヤブローから発生するエヤを微細な泡として発生させ、細かい汚物を泡浮上させた汚水は連続的に水槽上部のオーバーブロー部から、重くて硬い汚物は円筒型水槽底面の汚物落しスクリーンから機外に排出し、ヒダ内部迄綺麗に洗浄されたセンマイの生産を可能とする洗浄機    
【発明の詳細な説明】
【技術分野】
【０００１】
本発明は、牛の第３胃（以下センマイと呼称）に対し、葉状のヒダ内に多く堆積している汚物を極めて効率良く洗浄を可能とするセンマイ洗浄に関するものである。
【背景技術】
【０００２】
センマイの洗浄方法には、少量の場合は水槽内で手洗浄を、大容量の場合は横型回転カゴ型洗浄機が用いられ、センマイは半円型の水槽の中でカゴが回転しながら洗浄されて来た。然しながらヒダ表面は洗浄されるが、葉状のヒダ内は殆ど洗浄できず、後から作業者が１個ずつ開葉しつつ水洗している為、非常に手間が掛かり、且つ汚物に触れる非衛生作業である。このセンマイ洗浄には機械洗浄でヒダ内容物を完全に洗浄出来る装置が無い状況にある。
【特許文献１】特開平７-２５５３６０号公報
【特許文献２】特開平１０-１７４７９５号公報
【発明の開示】
【発明が解決しようとする課題】
【０００３】
本発明の目的は、センマイのヒダを効果的に開葉する機能と開葉した内部の汚物を洗浄排出する機能を持つ洗浄機を開発し、従来のセンマイ洗浄方法に代わるヒダ内部まで確実に洗浄出来るセンマイ洗浄機を提供することにある。
【課題を解決するための手段】
【０００４】
前述した目的を達成するため、本発明は、センマイのヒダを開葉する機能を持ち、ヒダ内部に包含された胃内汚物を完全に洗浄可能とする。
【０００５】
円筒型水槽７底面の回転円板上に取付けられた複数の攪拌羽根１を駆動させるモーター１１を、制御盤１９内のタイマー機能にて短時間内に攪拌羽根１を正転、停止、逆転させる事で高速水流の反転繰返しで、洗浄機内のセンマイのヒダを捻転開葉する機能を産み出している。
【０００６】
円筒型水槽７内の高速水流は、センマイを水流の中心方向に撹乱させ捻転させるため、側面に高さの異なる邪魔板２を持ち、水槽下部に設置されたエヤブロア１０からのエヤを水槽側面から中心方向に噴出させる複数の開口部３と、回転円板下に取付けられた複数の底面エヤ吹出し口５からのエヤを、第２攪拌羽根４の回転により噴出エヤを微細な泡として発生させ、ヒダ内部の汚物は泡付着による浮上作用から洗浄効果を高める構造を有する。更にこの高速水流は、ヒダ表面の脂質軟化をもたらし表面汚物洗浄を改善する効果がある。
【０００７】
ヒダ内汚物が開葉排出されて水流が汚染されるので、給水口９から清浄な水を補給しつつ円筒型水槽７上部のオーバーブロー口８から汚水を円筒型水槽の外周部のオーバーブロー１２に排出して、連続的に排水管１３を経由し排水口１５より機外に排出し、綺麗なセンマイを取出し可能としている。
【０００８】
円筒型水槽７内に排出された汚物には重い固形物もあり、水流では流出されず底面に堆積する事から、攪拌羽根１を持つ回転円板の外周に大小の開口を持つ円板状の汚物落しスクリーン６を設けて開口から落下可能とし、固形汚物は排出バルブ１４を開き機外に排水と共に流出される。
【発明の効果】
【０００９】
本発明のセンマイ洗浄機を利用する方法によれば、従来のセンマイ洗浄作業は人手による作業が主体であったが、本機を使用する事で省力化と共に非衛生的な作業から開放され、その効果は極めて顕著なものがある。
【発明を実施するための最良の形態】
【００１０】
以下、本発明による好適な実施形態を、添付図面にて示す。
【産業上の利用可能性】
【００１１】
本発明は、センマイを殆ど人手で綺麗に水洗浄し食用に供してきたので、これまで機械洗浄の要望も多くあった。然し開葉が難しい事から適切な洗浄機がなく今日に至っていたが、本センマイ洗浄機はこの問題を解決する最良の解決策を提供する。
【図面の簡単な説明】
【００１２】
【図１】本発明のセンマイ洗浄機の平面図である。
【図２】本発明のセンマイ洗浄機の断面図である。
【符号の説明】
【００１３】
１    攪拌羽根
２    攪拌邪魔板
３    エヤ吹出し口
４    第２攪拌羽根
５    底面エヤ吹出し口
６    汚物落しスクリーン
７    円筒型水槽（SUS製）
８    オーバーブロー口
９    給水管
１０  エヤブロア
１１  駆動モーター
１２  オーバーブロー（円筒型水槽の外周部）
１３  排水管
１４  排水バルブ
１５  排水口
１６  洗浄機移動用車輪
１７  洗浄機固定用脚
１８  操作盤
１９  制御盤
【図１】
2005168325.tif 000003
【図２】
2005168325.tif 000004